(57)【要約】【課題】従来は、カメラ機能とスケジュール機能とは関連付けられておらず、撮影日時をスケジュール登録することができない。【解決手段】現在の時刻がスケジュール帳管理部７に登録された撮影開始時間になった場合、制御部４は自動的にカメラモードになり、周囲の明るさが暗くて照明が必要な場合はライト１２を点灯し、カメラ部９のシャッターを制御して撮影を行い、撮影終了後はライト１２を消灯する。撮影終了後は、制御部４は、スケジュール帳データ管理部７に撮影データのメール送付が登録されている場合は、電話帳データ管理部７に撮影データを送付すべきメールアドレスが登録されているかどうか確認し、登録されているときは、その登録されているメールアドレスに撮影したデータを添付してメールとして送信し、メール送信後撮影データをスケジュール帳データ管理部７に登録し、撮影した画像を表示部６で確認させる。【選択図】            図１
2004328601.tif 000002
【特許請求の範囲】
【請求項１】
所望の相手端末との間で音声通話を行う音声通話機能と、所望の相手端末との間でメッセージを送受信する電子メール機能と、スケジュールを設定してアラーム音などで用件を知らせるスケジュール機能と、所望の被写体を撮影するカメラ部とを少なくとも備えた携帯端末装置において、
前記スケジュール機能を用いて撮影日時及びメール送付の有無とメールアドレスとを登録する第１の登録手段と、
現在の時刻が前記第１の登録手段により登録された撮影日時になった時に、前記カメラ部による撮影を自動的に開始するカメラ部制御手段と、
前記カメラ部による撮影終了後に、前記第１の登録手段に前記メール送付が登録されており、かつ、メールアドレスが登録されているときに限り、前記カメラ部で撮像して得た撮影データを、登録されている前記メールアドレスの相手端末へ、前記電子メール機能を使用してメールとして送信する撮影データ送信手段と
を有することを特徴とするカメラ付き携帯端末装置。
【請求項２】
前記カメラ部による撮影終了後に、前記撮影データ送信手段によるメール送信に関係なく、前記スケジュール機能を利用して前記撮影データを登録する第２の登録手段を更に有することを特徴とする請求項１記載のカメラ付き携帯端末装置。
【請求項３】
所望の相手端末との間で音声通話を行う音声通話機能と、所定のネットワーク上の所望のサーバーとの間でデータを送受信するデータ送受信機能と、スケジュールを設定してアラーム音などで用件を知らせるスケジュール機能と、所望の被写体を撮影するカメラ部とを少なくとも備えた携帯端末装置において、
前記スケジュール機能を用いて撮影日時及びウェブ登録の有無を登録する第１の登録手段と、
現在の時刻が前記第１の登録手段により登録された撮影日時になった時に、前記カメラ部による撮影を自動的に開始するカメラ部制御手段と、
前記カメラ部による撮影終了後に、前記第１の登録手段に前記ウェブ登録がされているときに限り、前記カメラ部で撮像して得た撮影データを、登録されている前記サーバーのファイル指定先（ＵＲＬ）に登録する第２の登録手段と
を有することを特徴とするカメラ付き携帯端末装置。
【請求項４】
前記カメラ部による撮影終了後に、前記第２の登録手段による登録の有無に関係なく、前記スケジュール機能を利用して前記撮影データを登録する第３の登録手段を更に有することを特徴とする請求項３記載のカメラ付き携帯端末装置。
【請求項５】
前記カメラ部により撮影される被写体付近の明るさを検出するセンサと、前記カメラ部により撮影される被写体付近を照明する照明手段と、前記カメラ部制御手段による前記カメラ部による撮影開始時に、前記センサにより検出された明るさに基づき、撮影時に照明が必要かどうか判定し、照明が必要と判定したときにのみ、前記照明手段を動作させる照明制御手段とを更に有することを特徴とする請求項１乃至４のうちいずれか一項記載のカメラ付き携帯端末装置。
【請求項６】
所望の相手端末との間で音声通話を行う音声通話機能と、所望の相手端末との間でメッセージを送受信する電子メール機能と、スケジュールを設定してアラーム音などで用件を知らせるスケジュール機能と、所望の被写体を撮影するカメラ部とを少なくとも備えた携帯端末装置を使用した撮影データ伝送方法であって、
前記スケジュール機能を用いて撮影日時及びメール送付の有無とメールアドレスとを登録する第１のステップと、
現在の時刻が前記登録された撮影日時になったかどうか監視し、前記撮影日時になった時に、前記カメラ部による撮影を自動的に開始する第２のステップと、
前記カメラ部による撮影終了後に、前記第１のステップによりメール送付が登録されており、かつ、メールアドレスが登録されているときに限り、前記カメラ部で撮像して得た撮影データを、登録されている前記メールアドレスの相手端末へ、前記電子メール機能を使用してメールとして送信する第３のステップと
を含むことを特徴とする撮影データ伝送方法。
【請求項７】
所望の相手端末との間で音声通話を行う音声通話機能と、所定のネットワーク上の所望のサーバーとの間でデータを送受信するデータ送受信機能と、スケジュールを設定してアラーム音などで用件を知らせるスケジュール機能と、所望の被写体を撮影するカメラ部とを少なくとも備えた携帯端末装置を使用した撮影データ伝送方法であって、
前記スケジュール機能を用いて撮影日時及びウェブ登録の有無を登録する第１のステップと、
現在の時刻が前記登録された撮影日時になったかどうか監視し、前記撮影日時になった時に、前記カメラ部による撮影を自動的に開始する第２のステップと、
前記カメラ部による撮影終了後に、前記第１のステップで前記ウェブ登録がされているときに限り、前記カメラ部で撮像して得た撮影データを、登録されている前記サーバーのファイル指定先（ＵＲＬ）に登録する第３のステップと
を含むことを特徴とする撮影データ伝送方法。
【発明の詳細な説明】
【０００１】
【発明の属する技術分野】
本発明はカメラ付き携帯端末装置及び撮影データ伝送方法に係り、特にスケジュール機能を備えたカメラ付き携帯電話等により所望の被写体を撮影し、撮影して得た撮影データを伝送するカメラ付き携帯端末装置及び撮影データ伝送方法に関する。
【０００２】
【従来の技術】
近年、携帯電話はその利便性により急速に広く普及し、また、音声通話機能だけでなく、所望の相手端末との間でメッセージを送受信する電子メール機能や、スケジュールを設定して、登録した日付、時刻になるとアラーム音と入力したアラームメッセージなどで用件を知らせるスケジュール機能その他各種の機能を備え、益々多機能化されてきている。更に、所望の被写体を撮像し、撮像した画像データを所望の相手端末へ送信するカメラ機能を備えたカメラ付き携帯電話も普及している。
【０００３】
上記のカメラ付き携帯電話の中には、撮影対象を照明する照明部を備え、送受話器のオンフック／オフフック検出に連動して自動的に照明部の電源をオン／オフすると共に、撮影対象の明るさを感知して照明の強さを制御する制御手段とを有するカメラ付き携帯電話が従来より知られている（例えば、特許文献１参照）。このカメラ付き携帯電話では、撮影対象が暗いときでも、送受話器をオフフックすると照明部の電源をオンして撮影対象の明るさに応じた照明の強さを制御して、撮影対象を所定の明るさとして撮影することができる。
【０００４】
【特許文献１】
特開平２−１１９３９０号公報
【０００５】
【発明が解決しようとする課題】
しかしながら、従来のカメラ付き携帯電話では、カメラ機能とスケジュール機能とは関連付けられておらず、互いに独立した機能であったため、撮影日時をスケジュール登録することができない。このため、スケジュールで予約した時間の被写体の状況（例えば、家の内部状況、老人やペット等の状況）が外出先で画像により確認することができず、このような用途の場合は、高価なビデオ撮影機などで予約した時間に撮影し、外出から帰宅してから撮影画像を確認しなければならない。
【０００６】
本発明は以上の点に鑑みなされたもので、スケジュール機能で登録した所望の撮影日時に自動的にカメラで撮影して得た画像データを所望の端末に送信し得るカメラ付き携帯端末装置及び撮影データ伝送方法を提供することを目的とする。
【０００７】
【課題を解決するための手段】
上記の目的を達成するため、第１の発明のカメラ付き携帯端末装置は、所望の相手端末との間で音声通話を行う音声通話機能と、所望の相手端末との間でメッセージを送受信する電子メール機能と、スケジュールを設定してアラーム音などで用件を知らせるスケジュール機能と、所望の被写体を撮影するカメラ部とを少なくとも備えた携帯端末装置において、スケジュール機能を用いて撮影日時及びメール送付の有無とメールアドレスとを登録する第１の登録手段と、現在の時刻が第１の登録手段により登録された撮影日時になった時に、カメラ部による撮影を自動的に開始するカメラ部制御手段と、カメラ部による撮影終了後に、第１の登録手段にメール送付が登録されており、かつ、メールアドレスが登録されているときに限り、カメラ部で撮像して得た撮影データを、登録されているメールアドレスの相手端末へ、電子メール機能を使用してメールとして送信する撮影データ送信手段とを有する構成としたものである。
【０００８】
この発明では、携帯端末装置を被写体を撮像できる位置に設置しておき、スケジュール機能を用いて登録された撮影日時になると、自動的にカメラ撮影が行われ、更にメールアドレス先に撮影データを送付するように登録してあれば、その撮影データが所望のメールアドレス先に間違いなく確実にメール送信され、使用者が外出先でその所望のメールアドレス先の端末を使用してメール送信された撮影データによる画像を、使用者が希望する時間にていつでも確認できる。
【０００９】
また、上記の目的を達成するため、第２の発明のカメラ付き携帯端末装置は、第１の発明の構成に加えて、カメラ部による撮影終了後に、撮影データ送信手段によるメール送信に関係なく、スケジュール機能を利用して撮影データを登録する第２の登録手段を更に有する構成としたものである。この発明では、メール送信されたか否かに関係なく、スケジュール機能の表示でカメラ部にて撮影した画像がカメラ付き携帯端末装置の表示部で確認できる。
【００１０】
また、上記の目的を達成するため、第３の発明のカメラ付き携帯端末装置は、所望の相手端末との間で音声通話を行う音声通話機能と、所定のネットワーク上の所望のサーバーとの間でデータを送受信するデータ送受信機能と、スケジュールを設定してアラーム音などで用件を知らせるスケジュール機能と、所望の被写体を撮影するカメラ部とを少なくとも備えた携帯端末装置において、スケジュール機能を用いて撮影日時及びウェブ登録の有無を登録する第１の登録手段と、現在の時刻が第１の登録手段により登録された撮影日時になった時に、カメラ部による撮影を自動的に開始するカメラ部制御手段と、カメラ部による撮影終了後に、第１の登録手段にウェブ登録がされているときに限り、カメラ部で撮像して得た撮影データを、登録されているサーバーのファイル指定先（ＵＲＬ）に登録する第２の登録手段とを有する構成としたものである。
【００１１】
この発明では、携帯端末装置を被写体を撮像できる位置に設置しておき、スケジュール機能を用いて登録された撮影日時になると、自動的にカメラ撮影が行われ、更にウェブ登録がしてあれば、その撮影データが登録されたＵＲＬに確実に送信されて登録され、使用者が外出先でその所望のＵＲＬに登録された撮影データによる画像を、使用者が希望する時間にていつでも確認できる。
【００１２】
また、上記の目的を達成するため、第４の発明のカメラ付き携帯端末装置は、第３の発明の構成に加えて、カメラ部による撮影終了後に、第２の登録手段による登録の有無に関係なく、スケジュール機能を利用して撮影データを登録する第３の登録手段を更に設けたものである。この発明では、ウェブ登録されているか否かに関係なく、スケジュール機能の表示でカメラ部にて撮影した画像がカメラ付き携帯端末装置の表示部で確認できる。
【００１３】
また、上記の目的を達成するため、第５の発明のカメラ付き携帯端末装置は、第１〜第４の発明のいずれかの構成に、カメラ部により撮影される被写体付近の明るさを検出するセンサと、カメラ部により撮影される被写体付近を照明する照明手段と、カメラ部制御手段によるカメラ部による撮影開始時に、センサにより検出された明るさに基づき、撮影時に照明が必要かどうか判定し、照明が必要と判定したときにのみ、照明手段を動作させる照明制御手段とを更に設けたことを特徴とする。この発明では、カメラ部による撮影時に、被写体が所定の明るさよりも暗いときには、照明手段による照明により明るくされて撮影できる。
【００１４】
また、上記の目的を達成するため、第６の発明の撮影データ伝送方法は、所望の相手端末との間で音声通話を行う音声通話機能と、所望の相手端末との間でメッセージを送受信する電子メール機能と、スケジュールを設定してアラーム音などで用件を知らせるスケジュール機能と、所望の被写体を撮影するカメラ部とを少なくとも備えた携帯端末装置を使用した撮影データ伝送方法であって、スケジュール機能を用いて撮影日時及びメール送付の有無とメールアドレスとを登録する第１のステップと、現在の時刻が登録された撮影日時になったかどうか監視し、撮影日時になった時に、カメラ部による撮影を自動的に開始する第２のステップと、カメラ部による撮影終了後に、第１のステップによりメール送付が登録されており、かつ、メールアドレスが登録されているときに限り、カメラ部で撮像して得た撮影データを、登録されているメールアドレスの相手端末へ、電子メール機能を使用してメールとして送信する第３のステップとを含むことを特徴とする。この発明では、第１の発明と同様の作用効果が得られる。
【００１５】
更に、上記の目的を達成するため、第７の発明の撮影データ伝送方法は、所望の相手端末との間で音声通話を行う音声通話機能と、所定のネットワーク上の所望のサーバーとの間でデータを送受信するデータ送受信機能と、スケジュールを設定してアラーム音などで用件を知らせるスケジュール機能と、所望の被写体を撮影するカメラ部とを少なくとも備えた携帯端末装置を使用した撮影データ伝送方法であって、スケジュール機能を用いて撮影日時及びウェブ登録の有無を登録する第１のステップと、現在の時刻が登録された撮影日時になったかどうか監視し、撮影日時になった時に、カメラ部による撮影を自動的に開始する第２のステップと、カメラ部による撮影終了後に、第１のステップでウェブ登録がされているときに限り、カメラ部で撮像して得た撮影データを、登録されているサーバーのファイル指定先（ＵＲＬ）に登録する第３のステップとを含むことを特徴とする。この発明では、第３の発明と同様の作用効果を有する。
【００１６】
【発明の実施の形態】
次に、本発明の実施の形態について図面と共に説明する。図１は本発明になるカメラ付き携帯端末装置の一実施の形態のブロック図を示す。同図において、カメラ付き携帯端末装置の一実施の形態であるカメラ付き携帯電話１は、アンテナ２に接続され、アンテナ２を介して図示しない基地局との間で、音声、画像、文字等の情報データの双方向の無線通信を行う無線部３と、無線部３で受信された受信データが入力され、送信データを無線部３へ出力する、音声発着信又はデータの発着信を制御する制御部４を有する。
【００１７】
また、カメラ付き携帯電話１は、音声又はデータの発着信をボタン操作で行うための操作部５と、操作部５でボタン操作した撮影画像、スケジュール、受信メール等を表示する表示部６を有し、更に、スケジュール帳データ管理部７、電話帳データ管理部８、所望の被写体を撮影するためのカメラ部９、カメラ部９を制御するカメラ制御部１０、センサ１１、ライト１２及び電池部１３を備えている。
【００１８】
スケジュール帳データ管理部７は、他のスケジュールと同様に撮影したい時間を管理する。電話帳データ管理部８は、カメラ部９で撮影して得た画像データをメールで送信するメールアドレス及び電話番号を管理する。センサ１１は、予約管理されたカメラ撮影開始時刻の被写体周囲の明るさを検出する。カメラ制御部１０は、カメラ部９の撮影開始、終了を制御部４の指示で制御する。また、カメラ制御部１０は、センサ１１で検出された被写体周囲の明るさから、ライト１１の照明を必要する明るさか否か判定し、照明を必要とする明るさの場合は、撮影の間ライト１２を点灯する。電池部１３は携帯電話１の各部に電源電圧を供給する。
【００１９】
次に、上記の実施の形態の動作について、図１のブロック図及び図２のフローチャートを併せ参照して説明する。まず、使用者はカメラ付き携帯電話１の操作部５により、撮影したい日時と、撮影した撮影データ（画像データ）を電子メールで送付するか否かをスケジュール機能によりスケジュール帳データ管理部７に登録する（ステップＡ１）。なお、電話帳データ管理部８には、予めメールアドレスや電話番号が登録されている。制御部４はタイマを有しており、タイマが示す現在の時刻が、スケジュール帳データ管理部７に登録されているスケジュール機能撮影日時になったかどうか監視する（ステップＡ２）。
【００２０】
現在の時刻がスケジュール帳管理部７に登録された撮影開始時間になった場合、制御部４は自動的にカメラモードになり、カメラ付き携帯電話１の周囲の明るさが、照明が必要な明るさか否かを、センサ１１からの明るさ検出信号を予め設定された閾値と比較することで判断し（ステップＡ３）、周囲の明るさが暗くて照明が必要な場合はライト１２を点灯し（ステップＡ４）、カメラ部９のシャッターを制御して撮影を行い（ステップＡ５）、撮影終了後はライト１２を消灯する（ステップＡ６）。
【００２１】
一方、周囲の明るさが明るく、照明が不要な場合は、制御部４はライト１２を初期状態のまま点灯せず、カメラ部９のシャッターを制御して撮影を行う（ステップＡ７）。ステップＡ６のライト１２の消灯後、又はステップＡ７のカメラ部９による撮影終了後は、制御部４は、スケジュール帳データ管理部７に撮影データのメール送付が登録されているかどうか判定し（ステップＡ８）、撮影データのメール送付が登録されている場合は電話帳データ管理部７に撮影データを送付すべきメールアドレスが登録されているかどうか確認する（ステップＡ９）。
【００２２】
スケジュール帳データ管理部７に撮影データのメール送付が登録されていない場合、又は撮影データを送付すべきメールアドレスが電話帳データ管理部７に登録されていない場合は、撮影データをスケジュール帳データ管理部７に登録する（ステップＡ１１）。一方、制御部４はステップＡ９で撮影データを送付すべきメールアドレスが電話帳データ管理部７に登録されていると判定した場合は、その登録されているメールアドレスに撮影したデータを添付してメールとして送信し（ステップＡ１０）、メール送信後撮影データをスケジュール帳データ管理部７に登録する（ステップＡ１１）。
【００２３】
撮影データがスケジュール帳データ管理部７に登録されることにより、メール送信されたか否かに関係なく、スケジュール機能の表示でカメラ部９にて撮影した画像が表示部６で確認できる。これにより、本実施の形態によれば、携帯電話１を被写体を撮像できる位置に設置して例えば外出し、スケジュール帳データ管理部７に登録した撮影日時が外出中の日時であっても、自動的にカメラ撮影が行われ、更にメールアドレス先に撮影データを送付するように登録してあれば、その撮影データが所望のメールアドレス先に間違いなく確実にメール送信され、使用者が外出先でその所望のメールアドレス先の端末（携帯電話、パソコン等）を使用してメール送信された撮影データによる画像を、使用者が希望する時間にていつでも確認できる。
【００２４】
従って、本実施の形態によれば、スケジュールで予約した日時の被写体の状況（例えば、家の内部状況、老人やペット等の状況）を外出先で画像により確認することができる。また、本実施の形態は、工事現場、泥棒の侵入確認のため撮影できる場所、会場（入場者状況）などの状況確認などにも使用できる。
【００２５】
次に、本発明の他の実施の形態について説明する。本実施の形態は、携帯電話１の構成は図１のブロック図とほぼ同一であるが、本実施の形態では、電子メール機能の代わりに、又は電子メール機能に加えて、所定のネットワークの一例としてのインターネット上のＷｅｂサーバーとの間でデータを送受信するデータ送受信機能を有すると共に、制御部４による処理が図２に示した実施の形態とは異なり、図３に示すフローチャートに従った処理を行う。
【００２６】
すなわち、本実施の形態では、まず、使用者はカメラ付き携帯電話１の操作部５により、撮影したい日時と、撮影した撮影データ（画像データ）を電子メールで送付するか否かをスケジュール機能によりスケジュール帳データ管理部７に登録する（ステップＢ１）。なお、スケジュール帳データ管理部７には、撮影データを登録すべきウェブ（Ｗｅｂ）がそのＵＲＬと共に必要に応じて登録されている（登録されていない場合もある）。
【００２７】
制御部４はタイマを有しており、タイマが示す現在の時刻が、スケジュール帳データ管理部７に登録されているスケジュール機能撮影日時になったかどうか監視する（ステップＢ２）。現在の時刻がスケジュール帳管理部７に登録された撮影開始時間になった場合、制御部４はカメラ付き携帯電話１の周囲の明るさが、照明が必要な明るさか否かを、センサ１１からの明るさ検出信号を予め設定された閾値と比較することで判断し（ステップＢ３）、周囲の明るさが暗くて照明が必要な場合はライト１２を点灯し（ステップＢ４）、カメラ部９による撮影を行い（ステップＢ５）、撮影終了後はライト１２を消灯する（ステップＢ６）。
【００２８】
一方、周囲の明るさが明るく、照明が不要な場合は、制御部４はライト１２を初期状態のまま点灯せず、カメラ部９による撮影を行う（ステップＢ７）。ステップＢ６のライト１２の消灯後、又はステップＢ７のカメラ部９による撮影終了後は、制御部４は、スケジュール帳データ管理部７に撮影データのウェブ（Ｗｅｂ）が登録されているかどうか判定し（ステップＢ８）、撮影データのウェブ（Ｗｅｂ）が登録されている場合は、撮影データを登録されているＷｅｂ上のＵＲＬに登録する（ステップＢ９）。
【００２９】
制御部４は、ステップＢ９で撮影データをＷｅｂ上のＵＲＬに登録した場合、又はステップＢ８でスケジュール帳データ管理部７に撮影データのウェブ（Ｗｅｂ）が登録されていないと判定した場合は、撮影データをスケジュール帳データ管理部７に登録する（ステップＢ１０）。
【００３０】
撮影データがスケジュール帳データ管理部７に登録されることにより、ＵＲＬに撮影データが登録されたか否かに関係なく、スケジュール機能の表示でカメラ部９にて撮影した画像が表示部６で確認できる。これにより、本実施の形態によれば、前述した実施の形態と同様に、スケジュール帳データ管理部７に登録した撮影日時にて自動的にカメラ撮影が行われ、更にＵＲＬ先に撮影データを登録するように設定してあれば、その撮影データが所望のＵＲＬに登録され、使用者が外出先で携帯電話等を使用してその所望のＵＲＬから撮影データによる画像を、使用者が希望する時間にていつでも確認できる。
【００３１】
なお、本発明は以上の実施の形態に限定されるものではなく、例えばライト１２を点灯して被写体の明るさを、撮影可能な明るさとなるように制御する場合（例えば、図２のステップＡ４）、センサ１１からの明るさ（輝度）に応じたレベル（又は値）の検出信号と比較する閾値を複数設け、ライト１２の明るさを複数段階のうち比較結果に対応した段階の明るさに点灯制御することも可能である。この場合は、被写体の明るさが周囲の明るさに応じて、できるだけ一定となるような制御ができる。
【００３２】
【発明の効果】
以上説明したように、本発明によれば、スケジュール機能を用いて登録された撮影日時になると、自動的にカメラ撮影が行われ、更にメールアドレス先に撮影データを送付するように登録してあれば、その撮影データが所望のメールアドレス先に間違いなく確実にメール送信されるようにしたため、使用者が外出先でその所望のメールアドレス先の端末を使用してメール送信された撮影データによる画像を、使用者が希望する時間にていつでも確認でき、また、スケジュールで予約した日時の被写体の状況（例えば、家の内部状況、老人やペット等の状況）を、高価なビデオ撮影機を有することなく、外出先で画像により確認することができる。
【００３３】
また、本発明によれば、スケジュール機能を用いて登録された撮影日時になると、自動的にカメラ撮影が行われ、更にウェブ登録がしてあれば、その撮影データが登録されたＵＲＬに確実に送信されて登録されるようにしたため、使用者が外出先でその所望のＵＲＬに登録された撮影データによる画像を、使用者が希望する時間にていつでも確認でき、また、スケジュールで予約した日時の被写体の状況を、高価なビデオ撮影機を有することなく、外出先で画像により確認することができる。
【００３４】
更に、本発明によれば、メール送信されたか否かに関係なく、あるいはＵＲＬに登録したか否かに関係なく、スケジュール機能の表示でカメラ部にて撮影した画像がカメラ付き携帯端末装置の表示部で確認できる。
【図面の簡単な説明】
【図１】本発明の一実施の形態のブロック図である。
【図２】本発明の一実施の形態の動作説明用フローチャートである。
【図３】本発明の他の実施の形態の動作説明用フローチャートである。
【符号の説明】
１  カメラ付き携帯電話
３  無線部
４  制御部
５  操作部
６  表示部
７  スケジュール帳管理部
８  電話帳データ管理部
９  カメラ部
１０  カメラ制御部
１１  センサ
１２  ライト
【図１】
2004328601.tif 000003
【図２】
2004328601.tif 000004
【図３】
2004328601.tif 000005